(57)【要約】【課題】標準品化された２種類の木製板材を基礎に、これらを適宜組合わせることによって、据付け及び解体作業を簡単に行なうことのできる木製プランターを効率良く、かつ、低コストで形成させる。【解決手段】平面視において矩形状の形態からなる枠１と、枠１の下側に設けられるものであって上記枠１の中に嵌め込まれるように形成される底板２と、枠１の上方部に設けられるものであってカバーまたはシート５を支持するための支柱３１及び梁３２等からなるカバー支持部材３と、からなることを基本とするものである。このような構成からなるものにおいて、各部材１、２、３は、すべてが木材あるいは竹材等の天然物あるいは自然物からなるものであり、最終的には土に還すことができるような素材から成り立っている。【選択図】図２
0003114393.tif 000002
【実用新案登録請求の範囲】
【請求項１】
所定の厚さを有するものであって所定の長さ及び所定の幅を有するように製材された第一の木製板材と、所定の厚さを有するとともに所定の長さ及び幅を有するように製材された第二の木製板材と、からなり、これら二種類の木製板材を２枚一組の状態で同種のものが相対向するように設置し、更に、これら第一の木製板材と第二の木製板材との端部どうしをホゾ機構を介して結合するようにし、これによって全体の形状が平面視において矩形を含む四辺形状の形態からなる枠を形成させ、このように形成された四辺形状の枠を基礎に、その下側に木製板材の集合体にて形成される底板を設けるようにした構成からなることを特徴とする組立式プランター。
【請求項２】
所定の厚さを有するものであって所定の長さ及び所定の幅を有するように製材された第一の木製板材を複数枚その幅方向に所定の連結手段を介して連結させることによって形成される側板と、所定の厚さを有するとともに所定の長さ及び幅を有するように製材された第二の木製板材を複数枚その幅方向に所定の連結手段を介して連結させることによって形成される鏡板と、からなり、これら側板と鏡板とを、それぞれ２枚一組の状態で同種のものが相対向するように設置するとともに、これら側板と鏡板との端部どうしをホゾ機構を介して結合させて全体の形状が平面視において矩形を含む四辺形状の形態からなる枠を形成させ、このように形成された四辺形状の枠を木製板材の集合体にて形成される底板の上に設置するようにした構成からなることを特徴とする組立式プランター。
【請求項３】
所定の厚さを有するものであって所定の長さ及び所定の幅を有するように製材された第一の木製板材と、所定の厚さを有するとともに所定の長さ及び幅を有するように製材された第二の木製板材と、からなり、これら二種類の木製板材を２枚一組の状態で同種のものが相対向するように設置するとともに、これら第一の木製板材と第二の木製板材との端部どうしをホゾ機構を介して結合させて全体の形状が平面視において矩形を含む四辺形状の形態を有する枠を形成させ、このように形成された四辺形状の枠を基礎に、その上端側には、カバーまたはシート支持用のものであって竹製からなる支柱及び梁を設けるとともに、その下側には木製板材の集合体にて形成される底板を設けるようにした構成からなることを特徴とする組立式プランター。
【請求項４】
所定の厚さを有するものであって所定の長さ及び所定の幅を有するように製材された第一の木製板材を複数枚その幅方向に所定の連結手段を介して連結させることによって形成される側板と、所定の厚さを有するとともに所定の長さ及び幅を有するように製材された第二の木製板材を複数枚その幅方向に所定の連結手段を介して連結させることによって形成される鏡板と、からなり、これら側板と鏡板とをそれぞれ２枚一組の状態で同種のものが相対向するように設置するともに、これら側板と鏡板との端部どうしをホゾ機構を介して結合させて全体の形状が平面視において矩形を含む四辺形状の形態を有する枠を形成させ、このように形成された四辺形状の枠の上端部側には、カバーまたはシート支持用のものであって竹製からなる支柱及び梁を設けるとともに、上記枠の下側には木製板材の集合体にて形成される底板を設けるようにした構成からなることを特徴とする組立式プランター。
【考案の詳細な説明】
【技術分野】
【０００１】
本考案は、木製のプランターに関するものであり、特に間伐材等を利用して木製板材を製造し、このような木製板材を基礎に、これらを適宜組合わせることによって形成させるようにした組立式の木製プランターに関するものである。
【背景技術】
【０００２】
従来の一般的なプランターとしては、プラスチック製のもの、あるいは陶器製のもの等が挙げられるが、これらは、いずれも小型のものである。また、大型のものとしては、例えば特開２００３−３１００６０号公報に記載される屋上集合ガーデン用プランター等、大掛りなものが挙げられる。
【特許文献１】特開２００３−３１００６０号公報
【考案の開示】
【考案が解決しようとする課題】
【０００３】
ところで、上記従来のもの、特に大型のものは、ビルの屋上等に設置されるものであり、雨水を溜めるための貯水装置、あるいは植物に散水した後の水を戻して循環させるための循環装置等が必要とされ、全体的に大掛りなものとならざるを得ない。また、このような大掛りなものの、その基礎をなすプランターをプラスチック材にて形成した場合において、プラスチック製のプランターが永年の使用により土で汚れた場合、この土の付いたプラスチック材をリサイクルすることは困難が伴うと言う問題点がある。このような問題点を考慮して、最終的には土に還すことのできる木材を用いた、かつ、設置の簡単な組立式の木製プランターを提供しようとするのが、本考案の目的（課題）である。
【課題を解決するための手段】
【０００４】
上記課題を解決するために、本考案においては次のような手段を講ずることとした。すなわち、請求項１記載の考案である第一の考案においては、組立式のプランターに関して、所定の厚さを有するものであって所定の長さ及び所定の幅を有するように製材された第一の木製板材と、所定の厚さを有するとともに所定の長さ及び幅を有するように製材された第二の木製板材と、からなり、これら二種類の木製板材を２枚一組の状態で同種のものが相対向するように設置し、更に、これら第一の木製板材と第二の木製板材との端部どうしをホゾ機構を介して結合させることによって全体の形状が平面視において矩形を含む四辺形状の形態からなる枠を形成させ、このように形成された四辺形状の枠を基礎に、その下側に木製板材の集合体にて形成される底板を嵌め込ませるようにした構成を採ることとした。
【０００５】
また、請求項２記載の考案である第二の考案においては、組立式のプランターに関して、所定の厚さを有するものであって所定の長さ及び所定の幅を有するように製材された第一の木製板材を複数枚その幅方向に所定の連結手段を介して連結させることによって形成される側板と、所定の厚さを有するとともに所定の長さ及び幅を有するように製材された第二の木製板材を複数枚その幅方向に所定の連結手段を介して連結させることによって形成される鏡板と、からなり、これら側板と鏡板とを、それぞれ２枚一組の状態で同種のものが相対向するように設置するとともに、これら側板と鏡板との端部どうしをホゾ機構を介して結合させて全体の形状が平面視において矩形を含む四辺形状の形態からなる枠を形成させ、このように形成された四辺形状の枠を木製板材の集合体にて形成される底板の上に設置するようにした構成を採ることとした。
【０００６】
また、請求項３記載の考案である第三の考案においては、組立式のプランターに関して、所定の厚さを有するものであって所定の長さ及び所定の幅を有するように製材された第一の木製板材と、所定の厚さを有するとともに所定の長さ及び幅を有するように製材された第二の木製板材と、からなり、これら二種類の木製板材を２枚一組の状態で同種のものが相対向するように設置するとともに、これら第一の木製板材と第二の木製板材との端部どうしをホゾ機構を介して結合させて全体の形状が平面視において矩形を含む四辺形状の形態を有する枠を形成させ、このように形成された四辺形状の枠を基礎に、その上端側には、カバーまたはシート支持用のものであって竹製からなる支柱及び梁を設けるとともに、その下側には木製板材の集合体にて形成される底板を嵌め込ませるようにした構成を採ることとした。
【０００７】
また、請求項４記載の考案である第四の考案においては、組立式のプランターに関して、所定の厚さを有するものであって所定の長さ及び所定の幅を有するように製材された第一の木製板材を複数枚その幅方向に所定の連結手段を介して連結させることによって形成される側板と、所定の厚さを有するとともに所定の長さ及び幅を有するように製材された第二の木製板材を複数枚その幅方向に所定の連結手段を介して連結させることによって形成される鏡板と、からなり、これら側板と鏡板とをそれぞれ２枚一組の状態で同種のものが相対向するように設置するともに、これら側板と鏡板との端部どうしをホゾ機構を介して結合させて全体の形状が平面視において矩形を含む四辺形状の形態を有する枠を形成させ、このように形成された四辺形状の枠の上端部側には、カバーまたはシート支持用のものであって竹製からなる支柱及び梁を設けるとともに、上記枠の下側には木製板材の集合体にて形成される底板を設けるようにした構成を採ることとした。
【考案の効果】
【０００８】
第一の考案によれば、少なくとも長さの異なる二種類の木製板材を用意するとともに、これらを標準化された製品としておき、このような標準化された木製板材を適宜組合せることによって、所定の平面面積を有するとともに平面形態が矩形を初めとした四辺形の形態からなるプランターを効率良く形成させることができるようになる。そして、このようにして形成された標準型のプランターを基礎にして、これらを複数個設置することによって任意の広さを有する家庭菜園等を効率良く形成することができるようになる。このように複数個のプランターを設置する場合においても、基礎となる板材としては二種類のものを用意すれば十分となるので、板材の製造原価の低減化を図ることができるようになる。また、本プランターの主要部をなす枠は、一方の板材の端末部に設けられたホゾと、もう一方の板材の端部に設けられたホゾ穴との組合せからなるホゾ機構にて組立られるようになっているので、本プランターの据付作業の容易さに加えて、これらを解体する場合においても、その作業性の向上が図られることとなる。また、本プランターを形成する各部は、すべて木材にて形成されるようになっているので、最終的に土に還すことができるようになる。従って、プラスチック製のもの等に較べて環境保護の観点からも優れているものである。
【０００９】
第二の考案によれば、上記第一の考案のものに較べて、更に、枠の深さを自由に変更することができるようになり、仕様の異なったプランターを簡単に形成させることができるようになる。すなわち、同じ形態の板材を、その幅方向に所定の連結手段を介してつなぐことによって所定の幅を有する側板及び鏡板を自由に形成させることができるようになる。このような側板及び鏡板を組付けることによって、深さの異なるプランターを簡単に形成させることができるようになる。
【００１０】
また、第三の考案及び第四の考案によれば、上記第一の考案のもの及び第二の考案のものを基礎に、これらの枠の上端部のところに、カバーまたはシート装着用の支柱及び梁を設けるようにしたので、本プランター内に植えられた植栽等の日よけ用としてのカバーあるいはシート等を簡単に装着する（被せる）ことができるようになる。そして、このようなカバーまたはシート装着用の支柱及び梁は竹材を利用して形成されるようになっていることより、これら支柱、梁も含めて、すべてを土に還すことができるようになる。
【考案を実施するための最良の形態】
【００１１】
本考案を実施するための最良の形態について、図１ないし図６を基に説明する。本実施の形態に関するものは、図１に示す如く、平面視において正方形または矩形からなる四辺形状の枠１と、当該枠１の下側に設けられるものであって上記枠１の中に嵌め込まれるように形成される底板２と、上記枠１の上方部に設けられるものであってカバーまたはシート５（図６参照）を支持するための支柱及び梁等からなるカバー支持部材３と、からなることを基本とするものである。このような構成からなるものにおいて、各部材１、２、３は、すべてが木材あるいは竹材等の天然物あるいは自然物からなるものであり、最終的には土に還すことができるような素材から成り立っているものである。
【００１２】
このような構成からなるものにおいて、上記枠１は、図２及び図３に示す如く、所定の厚さ、所定の長さ、及び所定の幅を有するものであって、側板を形成することとなる第一の木製板材１１と、当該第一の木製板材（側板）１１に対して直角方向に設置されるものであって所定の厚さ及び所定の長さを有するとともに、上記側板１１と略同等の板幅を有するように形成され、かつ、鏡板を形成することとなる第二の木製板材１２と、からなることを基本とするものである。このような２種類の板材１１、１２が二枚一組の状態で、かつ、同じ種類のものが相対向するように設置されることによって、図２に示すような矩形を初めとした四辺形状の枠１が形成されることとなる。なお、このような２種類の板材にて形成される側板１１及び鏡板１２は、図２及び図３に示す如く、複数枚（本実施の形態においては２枚）が、その幅方向に連結されることによって、ある程度の幅を有する側板１１及び鏡板１２が形成されるようになっているものである。そして、このような各板１１、１２の幅方向の連結は、図３に示す如く、各板１１、１２の幅方向端面に設けられた取付穴１１５、１２５内へ木製のスタッド１５を嵌合させることによって行われるようになっているものである。なお、上記スタッド１５の嵌合に当っては、当該スタッド１５の表面に米糊あるいはニカワ等の自然物系の接着剤を塗布しておくことも考えられる。
【００１３】
そして、このようにして形成された各側板１１と鏡板１２との結合（組付け）構造は、基本的には、図２及び図３に示す如く、どちらか一方の部材の長手方向端末部に設けられたホゾの、他方の部材の長手方向端部付近に設けられたホゾ穴への挿入（組付け）によって形成されるようになっているものである。すなわち、ホゾ機構にて結合（組付け）がなされるようになっているものである。このホゾ機構は、具体的には図４に示す如く、鏡板１２の先端部に設けられた凸起状のホゾ部１２１を、側板１１の端部付近に設けられたホゾ穴１１２内に挿入させることによって形成されるようになっているものである。そして、このようにホゾ穴１１２内にホゾ部１２１の挿入された状態において、上記ホゾ部１２１のところに設けられたスタッド取付穴１２２内へ木製のスタッド１５を打込む（嵌入させる）ことによって、上記ホゾ機構の結合を確実に行わしめるようにしているものである。なお、このスタッド１５のスタッド取付穴１２２内への嵌入（打ち込み）に際しては、上記スタッド１５の表面に米糊あるいはニカワ等の自然物系の接着剤を塗布しておくこととする。これによって上記ホゾ機構の結合を強化することができるようになる。また、上記各部材１１、１２を土に還すに際しては、上記接着剤も自然物からなるものであるので、一緒に土に戻すことができることとなる。
【００１４】
次に、このように形成された矩形を含む四辺形状枠１の下側に設置される底板２について、図２及び図３を基に説明する。このものは、所定の厚さ、幅、及び長さを有する底板部材２１を基礎に形成されるようになっているものである。なお、この底板部材２１は、上記側板１１と同じものを用いるようにしても良い。そして、このような底板部材２１が複数枚横方向に並べられた状態において、このような底板部材２１の両端部のところを、図２に示す如く、角材等からなる部材（固定部材）２４、２５にて固定することによって、所定の平面面積を有する底板２が形成されることとなる。なお、このような固定部材のうち、上側の面に設けられるもの（２４）は、本底板２が上記矩形を含む四辺形状の枠１の下方部に設置される場合において、枠１の内側に嵌り込んで枠１と底板２との位置決めを行うようになっているものである。
【００１５】
すなわち、上記固定部材２４は位置決め部材としての役目を果たすようになっているものである。また、同様に下側に設けられる固定部材（２５）は、上記枠１及び本底板２にて形成されるプランター全体を地面から所定量浮かせた状態で保持する台の役目を果たすようになっているものである。なお、これら両固定部材２４、２５による上記複数の底板部材２１の固定は、例えば図３に示す如く、底板部材２１に設けられた取付穴２１２、並びにその上下に設けられる固定部材２４、２５の所定箇所に設けられたスタッド取付穴２４２、２５２内への木製のスタッド１５の打込み（嵌入）によって行われるようになっているものである。そして、この木製スタッド１５の嵌入（打込み）に当っても、上記の場合と同様、木製スタッド１５の表面側には米糊等の自然物系の接着剤が塗布されることとなる。なお、この接着剤の塗布がなされることを考慮して、上記木製スタッド１５の外表面部には、例えば図４に示す如く、ら旋またはストレート状の溝１５１を予め設けておくようにしておくと良い。
【００１６】
このような枠１及び底板２にて形成される本プランターの上方部には、図１及び図２に示す如く、カバーまたはシート５（図６参照）の支持を担うカバー支持部材３が設けられるようになっている。具体的には、図３に示す如く、主に竹材等にて形成されるものであって枠１を形成する側板１１等に取付けられる複数本の支柱３１、３１と、これら複数本の支柱３１、３１間を横方向に連結する複数本の梁３２、３２と、からなるものである。そして、これら支柱３１と梁３２との間においては適宜個所にて、木製あるいは竹製のスタッド１５等にて結合がなされるようになっているものである。なお、この支柱３１と梁３２との結合にあたっては、この外に、細縄等による締結方法も考えられる。
【００１７】
そして、このようにして形成されたカバー支持部材３は、例えば図１ないし図３に示す如く、その下端部が側板１１のところに取付けられることとなる。その具体的な構造は、図５に示す如く、側板１１のいずれか一方の面側に設けられた縦溝１１４のところに、上記支柱３１の先端部３１９を嵌め込ませるとともに、このような状態において、上記支柱３１の先端部３１９に設けられたスタッド挿入穴３１９２、更には上記縦溝１１４内に設けられたスタッド取付穴１１４２内へスタッド１５を嵌入させる（打込む）ことによって、カバー支持部材３の装着が行われるようになっているものである。なお、このカバー支持部材３の枠１上方部への取付けに当っては、この他に、例えば図３に示す如く、側板１１あるいは鏡板１２の上端面に設けられた挿入穴１１９、１２９内へ、上記支柱３１の先端部３１９を差し込ませるようにしても良い。このようにして、上記枠１の上方部には、図１及び図２に示す如く、カバー支持部材３が確実に取付けられることとなり、矩形状の枠１を基礎にしたカバー支持部材３を有するプランターが形成されることとなる。
【００１８】
このようにして形成された本プランター内には、例えば図６に示す如く、所定の土７等が投入されて植栽６等が植付けられることとなる。そして、この植栽６の生育状態に応じて上記カバー５は適宜めくり上げられたり、あるいは被せられたりすることとなる。また、このような本プランターには、例えば図６に示す如く、枠１の下方部に設けられる底板２のところに台２５が設けられるようになっていることより、底板２と本プランター設置面との間には所定の隙間が確保されることとなる。その結果、植栽６への散水時等において水はけを良くすることができるようになる。また、これとは逆に、上記プランターの枠１の底面部、具体的には底板２の上面側にビニールシート等の防水シートを予め設置しておくことによって、本プランタを水耕栽培用として用いることもできるようになる。更には、上記カバー支持部材３のところに、予め発熱灯等からなるヒータ８を設置しておくことによって、植栽のための暖房用として利用することができるようになる。すなわち、本プランターに温室効果を発揮させることができるようになる。
【００１９】
このように、本実施の形態のものにおいては、長さの異なる二種類の木製板材１１、１２を用意するとともに、これらを標準品化しておくことによって、平面形態が正方形または矩形等の四辺形状の標準型プランターを効率良く形成させることができるようになる。そして、このような標準型のプランターを複数個設置することによって任意の広さを有する家庭菜園等を効率良く形成することができるようになる。このように複数個のプランターを設置する場合においても、基礎となる板材としては二種類のもの、すなわち、側板１１と鏡板１２とを用意すれば十分となるので、板材の製造原価の低減化を図ることができるようになる。また、場合によっては側板１１と鏡板１２との長さの比を極端に異ならせることによって細長いプランターを形成させることもできるようになる。また、本プランターの主要部をなす枠１は、一方の板材１２の端末部に設けられたホゾ部１２１と、もう一方の板材１１の端部に設けられたホゾ穴１１２とを組合せることによって形成されるようになっているので、本プランターの据付作業の容易さに加えて、これらを解体する場合においても、その作業性の向上が図られることとなる。また、本プランターを形成する各部は、すべてが木材等にて形成されるようになっているので、最終的に土に還すことができるようになる。従って、プラスチック製のもの等に較べて環境保護の観点からも優れているものである。また、上記枠１の上端部のところに、カバーあるいはシート装着用の支柱３１及び梁３２等からなるカバー支持部材３を設けるようにしたので、本プランター内に植えられた植栽等の日よけ用としてのカバーあるいはシート等を簡単に装着する（被せる）ことができるようになる。そして、このようなカバー装着用の支持部材３は竹材を利用して形成されるようになっていることより、これら各部材すべてを土に還すことができるようになる。
【図面の簡単な説明】
【００２０】
【図１】本考案の全体構成を示す斜視図である。
【図２】本考案の主要部をなす枠と底板との関係を示す展開斜視図である。
【図３】本考案にかかる各部材の構成を示す展開斜視図である。
【図４】本考案の主要部をなす枠におけるホゾ機構の構成を示す展開斜視図である。
【図５】本考案における支柱の枠への取付構造を示す展開斜視図である。
【図６】本考案にかかるプランターの使用例を示す斜視図である。
【符号の説明】
【００２１】
１  枠
１１  側板
１１２  ホゾ穴
１１４  縦溝
１１４２  スタッド取付穴
１１５  取付穴
１１９  挿入穴
１２  鏡板
１２１  ホゾ部
１２２  スタッド取付穴
１２５  取付穴
１２９  挿入穴
１５  スタッド
１５１  溝
２  底板
２１  底板部材
２１２  取付穴
２４  固定部材
２４２  スタッド取付穴
２５  固定部材（台）
２５２  スタッド取付穴
３  カバー（シート）支持部材
３１  支柱
３１９  先端部
３１９２  スタッド挿入穴
３２  梁
５  カバー（シート）
６  植栽
７  土
８  発熱灯（ヒータ）
【図１】
0003114393.tif 000003
【図２】
0003114393.tif 000004
【図３】
0003114393.tif 000005
【図４】
0003114393.tif 000006
【図５】
0003114393.tif 000007
【図６】
0003114393.tif 000008